(57)【要約】【課題】ミリ波帯無線通信システムにおいて、処理する信号の周波数がミリ波帯送受信ユニットの処理可能な周波数を外れる場合でも適応でき、かつ安定した送受信動作を可能とする。【解決手段】送信機１０は、入力信号を局部発振器１１の局部発振信号ｆｃにより周波数変換して得られた中間周波信号ＩＦ１を、送信ユニット１４で送信周波数信号ＲＦ１に変換して受信機２０へ送信する。受信機２０は、送信周波数信号ＲＦ１を受信し、受信ユニット２２で中間周波信号ＩＦ２に周波数変換すると共に、局部発振信号再生回路２４で局部発振信号ｆｃを再生し、再生局部発振信号ｆｃ’を得る。局部発振信号再生回路２４は、中間周波信号ＩＦ２と再生局部発振信号ｆｃ’を混合して元の入力周波数に周波数変換し、出力信号として出力先の機器３１へ送出する。【選択図】      図１
2005348332.tif 000002
【特許請求の範囲】
【請求項１】
入力信号を送信ユニットが処理可能な第１の中間周波信号に周波数変換する周波数変換手段と、上記周波数変換手段で使用した局部発振信号を基準として無変調キャリア信号を生成する手段と、上記無変調キャリア信号と上記第１の中間周波信号を混合する混合手段と、上記第１の混合手段で混合された信号を伝送周波数信号に周波数変換して送信する送信ユニットとからなる送信機と、
上記送信機から送信される信号を受信し、上記送信機側の第１の中間周波信号と同じ周波数の第２の中間周波信号に周波数変換する受信ユニットと、上記受信ユニットで受信した受信信号に含まれる上記無変調キャリア信号から送信機側の局部発振信号を再生する局部発振信号再生手段と、上記局部発振信号再生手段で再生された局部発振信号と第２の中間周波信号を混合する混合手段と、上記混合手段で混合された信号を送信機側の入力信号と同じ周波数の出力信号に周波数変換する周波数変換手段を備えた受信機とからなる無線通信システム。
【請求項２】
上記送信機の送信ユニット、及び上記受信機の受信ユニットは、自己ヘテロダイン方式で送受信を行うことを特徴とする請求項１に記載の無線通信システム。
【請求項３】
一対の双方向無線装置により中間周波信号の中継を行う無線通信装置の入力信号及び出力信号の周波数変換を一つの局部発振信号を基準にして行うことを特徴とする無線通信システム。
【発明の詳細な説明】
【技術分野】
【０００１】
本発明は、広帯域なデジタル信号を高品質に中継、伝送するための無線通信システムに関する。
【背景技術】
【０００２】
広帯域なデジタル信号を高品質に伝送するための無線通信システムでは、例えばミリ波を用いた無線ＬＡＮや無線映像伝送システムが考えられる。ミリ波以上の高い無線周波数帯を使用する無線通信システムでは、信号処理のし易い周波数、例えば６００ＭＨｚ帯の中間周波数において変調等の処理を行った後、局部発振器を用いて伝送周波数、例えば６０ＧＨｚへ周波数変換（アップコンバート）して送信する。受信機側では、受信した無線周波数信号を局部発振器により中間周波数帯へ周波数変換（ダウンコンバート）し、その後、チャンネルの抽出と信号の復調を行っている。
【０００３】
上記のような局部発振器を使用し、周波数変換を行って信号を送受信する無線通信システムの一例として、自己へテロダイン方式の無線通信システムがある（例えば、特許文献１参照）。
【特許文献１】特開２００１−５３６４０号公報
【発明の開示】
【発明が解決しようとする課題】
【０００４】
上記の自己ヘテロダイン方式では送信機で用いる局部発振器が安価で周波数の不安定なものであっても、これによって生じた周波数ずれや位相雑音は検波時に完全に相殺され、位相雑音と周波数安定性に対する要求が厳しい、ミリ波帯の無線ＬＡＮや無線映像伝送システムに対しても良好に信号が伝送することが確認されている。
【０００５】
しかし、他のシステムとの中継の用途に例えば、上記のミリ波無線通信システムを利用しようとする場合、周波数変換の制限の関係で直接、既存のミリ波無線通信システムに中継信号が入力できないことがある。この場合、入力信号の周波数変換が必要となるが、受信側では、元の入力信号の周波数に再変換する必要がある。このため送信機側にアップコンバートのための周波数変換器、受信機側に元の周波数へダウンコンバートするための周波数変換器を設ければよいが、この際、周波数変換器の局部発振器の位相雑音、周波数安定度の性能が十分でないと、周波数ドリフト、位相ノイズにより広帯域なデジタル信号を高品質に伝送できない。このような目的に使用される周波数変換器の局部発振器は厳しい性能が要求され、実現が極めて困難である。
【０００６】
本発明は上記の課題を解決するためになされたもので、例えば、上記特許文献１にあるような自己へテロダイン方式のミリ波帯無線通信システムにおいて、入力信号の周波数が自己へテロダインの周波数変換関係から入力可能な周波数範囲から外れる場合であっても確実に適応させることができ、かつ、安定した送受信動作を可能とすることを目的とする。
【課題を解決するための手段】
【０００７】
第１の本発明は、入力信号を送信ユニットが処理可能な第１の中間周波信号に周波数変換する周波数変換手段と、上記周波数変換手段で使用した局部発振信号を基準として無変調キャリア信号を生成する手段と、上記無変調キャリア信号と上記第１の中間周波信号を混合する混合手段と、上記混合手段で混合された信号を伝送周波数信号に周波数変換して送信する送信ユニットとからなる送信機と、
上記送信機から送信される信号を受信し、上記送信機側の第１の中間周波信号と同じ周波数の第２の中間周波信号に周波数変換する受信ユニットと、上記受信ユニットで受信した受信信号に含まれる上記無変調キャリア信号から送信機側の局部発振信号を再生する局部発振信号再生手段と、上記局部発振信号再生手段で再生された局部発振信号と第２の中間周波信号を混合する混合手段と、上記混合手段で混合された信号を送信機側の入力信号と同じ周波数の出力信号に周波数変換する周波数変換手段を備えた受信機とからなる無線通信システムとすることで、送信機側の入力信号が送信ユニットの処理可能な周波数を外れる場合であってもミリ波帯以上の極めて高い周波数の信号伝送に確実に適応させることができ、かつ、安定した送受信動作を可能とする。
【０００８】
第２の発明は、上記第１の発明に係る無線通信システムにおいて、送信機の送信ユニット、及び上記受信機の受信ユニットは、自己ヘテロダイン方式で送受信を行うことを特徴とする。
【０００９】
第３の発明に係る無線通信システムは、一対の双方向無線装置により中間周波信号の中継を行う無線通信装置の入力信号及び出力信号の周波数変換を一つの局部発振信号を基準にして行うことを特徴とする。
【発明の効果】
【００１０】
本発明によれば、送信機側で周波数変換に使用した局部発振信号を受信機側へ送信し、局部発振信号再生回路で上記局部発振信号を再生しているので、送信機側と受信機側の部発振信号を全く同じ周波数にすることができる。このため送信機に入力された信号と受信機から出力先の機器に送られる信号は局部発振器の周波数ドリフトに拘わらず同一の周波数とすることができ、周波数オフセットによる信号品質の劣化を確実に防止することができる。
【００１１】
また、送信機に入力される信号の周波数が送信ユニットの処理可能な入力周波数から外れている場合であっても、上記入力信号の周波数を送信ユニットの処理可能な周波数に周波数変換するので、送信ユニットを確実に動作させることができる。また、同様に受信機に設けられている受信ユニットの出力周波数が出力先の機器の使用周波数より低い場合であっても、受信ユニットから出力される信号の周波数を周波数変換することにより、出力先の機器の使用周波数に適合させることができる。
【発明を実施するための最良の形態】
【００１２】
（第１実施形態）
本発明の第１の実施形態を以下、図面を参照して説明する。  
図１は、本発明の第１実施形態に係る無線通信システムの構成を示すブロック図である。図１において、１０は例えばミリ波帯の送信機、２０は上記送信機１０から送信される信号を受信し、所定の周波数の信号に周波数変換するミリ波帯の受信機である。
【００１３】
上記送信機１０は、局部発振信号ｆｃを出力する局部発振器１１、上記局部発振信号ｆｃと入力側機器１からの入力信号ＦＩＮとを混合して中間周波信号ＩＦ１に周波数変換する周波数変換器１２、上記局部発振信号ｆｃと周波数変換器１２から出力される中間周波信号ＩＦ１とを混合する信号混合器１３、この信号混合器１３で混合された信号を例えばミリ波帯の送信周波数信号ＲＦ１に周波数変換する送信ユニット１４、上記周波数変換された送信周波数信号ＲＦ１を受信機２０に送信するアンテナ１７からなっている。
【００１４】
上記送信ユニット１４は、局部発振信号を出力する局部発振器１５と、上記信号混合器１３の出力信号と局部発振器１５から出力される局部発振信号とを混合して送信周波数信号ＲＦ１に周波数変換する周波数変換器１６とにより構成されている。
【００１５】
一方、受信機２０は、送信機１０から送られてくる送信周波数信号ＲＦ１を受信するアンテナ２１、このアンテナ２１で受信された信号を中間周波信号ＩＦ２に変換する受信ユニット２２、上記中間周波信号ＩＦ２に含まれる局部発振信号ｆｃを取出して再生する局部発振信号再生回路２４、上記受信ユニット２２から出力される中間周波信号ＩＦ２と局部発振信号再生回路２４から出力される再生局部発振信号ｆｃ’とを混合して出力信号ＦＯＵＴに周波数変換する周波数変換器２５からなっている。
【００１６】
上記受信ユニット２２は、二乗検波器２３を備え、アンテナ２１で受信された送信周波数信号ＲＦ１を二乗検波して中間周波信号ＩＦ２に変換する。そして、上記周波数変換器２５で周波数変換された出力信号ＦＯＵＴは、出力先の機器３１へ送られる。
【００１７】
次に、上記実施形態の全体の動作を説明する。この実施形態では、入力側機器１からの入力信号ＦＩＮと受信機２０から出力先の機器３１へ出力される出力信号ＦＯＵＴが同じ周波数である場合を想定している。また、入力側機器１からの入力信号ＦＩＮは、送信機１０に設けられている送信ユニット１４の処理可能な入力周波数より、高い場合を想定している。
【００１８】
入力側機器１からの入力信号ＦＩＮは送信機１０に入力され、周波数変換器１２により、送信ユニット１４が処理できる中間周波信号ＩＦ１までダウンコンバートされる。このダウンコンバートされた中間周波信号ＩＦ１は信号混合器１３に入力され、局部発振器１１から出力される局部発振信号ｆｃと混合される。従って、信号混合器１３の出力信号には、中間周波信号ＩＦ２と共に局部発振信号ｆｃが含まれる。
【００１９】
上記信号混合器１３から出力される混合信号、すなわち局部発振信号ｆｃ及びこの局部発振信号ｆｃによりダウンコンバートされた中間周波信号ＩＦ２からなる混合信号は、送信ユニット１４に入力され、周波数変換器１６により伝送周波数信号ＲＦ１例えばミリ波帯の信号にアップコンバートされ、アンテナ１７から受信機２０へ送信される。
【００２０】
受信機２０は、送信機１０から送られてくる伝送周波数信号ＲＦ１をアンテナ２１で受信し、受信ユニット２２に入力する。この受信ユニット２２は、伝送周波数信号ＲＦ１を二乗検波器２３で二乗検波し、中間周波信号ＩＦ２にダウンコンバートする。この場合、中間周波信号ＩＦ２は、送信機１０における送信ユニット１４の入力信号であるＩＦ１と同じ周波数となる。
【００２１】
上記受信ユニット２２でダウンコンバートされた信号は、局部発振信号再生回路２４へ送られ、送信機１０から送られてきた局部発振信号ｆｃが再生され、再生局部発振信号ｆｃ’となる。この再生局部発振信号ｆｃ’と元の局部発振信号ｆｃとは、全く同じ周波数である。
【００２２】
周波数変換器２５は、受信ユニット２２でダウンコンバートされた中間周波信号ＩＦ２と上記局部発振信号再生回路２４から出力される再生局部発振信号ｆｃ’とを混合し、出力信号ＦＯＵＴにアップコンバートする。この出力信号ＦＯＵＴは、送信機１０側の入力側機器からの入力信号ＦＩＮと全く同じ周波数である。  
そして、上記アップコンバートされた出力信号ＦＯＵＴが出力先の機器３１へ送られる。
【００２３】
上記実施形態で示したように入力側機器から送信機に入力される入力信号ＦＩＮが送信機１０に設けられている送信ユニット１４の処理可能な入力周波数より高い場合であっても、上記入力信号ＦＩＮを送信ユニット１４の処理可能な周波数にダウンコンバートすることにより、送信ユニット１４を確実に動作させることができる。また、同様に受信機２０に設けられている受信ユニット２２の出力周波数が出力先の機器３１の使用周波数より低い場合であっても、受信ユニット２２から出力される中間周波信号ＩＦ２を周波数変換器２５でアップコンバートすることにより、出力先の機器３１の使用周波数に適合させることができる。
【００２４】
また、自己へテロダイン方式を採用した無線通信システムでは、送信機１０の局部発振器１１で発生した局部発振信号ｆｃと、この局部発振信号ｆｃにより周波数変換した中間周波信号ＩＦ１とを混合して受信機２０へ送信し、局部発振信号再生回路２４で上記局部発振信号ｆｃを再生しているので、送信機１０における局部発振信号ｆｃと受信機２０における再生局部発振信号ｆｃ’とを全く同じ周波数にすることができる。このため入力側機器１から送信機１０に入力される入力信号ＦＩＮと受信機２０から出力先の機器３１に送られる出力信号ＦＯＵＴとを全くずれのない同一周波数とすることができ、周波数オフセットによる信号品質の劣化を確実に防止することができる。
【００２５】
なお、上記実施形態の説明では、基本的な回路構成のみを示し、フィルタや増幅器等については省略している。
【００２６】
（第２実施形態）
次に、本発明の第２の実施形態を以下に説明する。  
図２は、基地局１、２、３間を無線中継する場合のシステム構成例を示したものである。図２において、ＯＤＵ１は基地局１に設置されているＦＷＡ通信装置の屋外装置、ＩＤＵ１は基地局２に設置されているＦＷＡ通信装置の屋内装置、ＯＤＵ２は基地局３に設置されているＦＷＡ通信装置の屋外装置を示している。
【００２７】
基地局１と基地局３との間はＦＷＡ（Fixed Wireless Access）方式によりデータ信号の伝送が行われているが、基地局２と基地局３の間では、ロケーションの関係でＦＷＡ方式で直接データ信号が伝送することができない状況において、基地局１に設置されているＦＷＡ通信装置の屋外装置ＯＤＵ１と基地局２に設置されているＦＷＡ通信装置の屋内装置ＩＤＵ１との間をミリ波により中継する場合を示している。Ｕ１は基地局１に設置された本発明の無線通信システムを構成するミリ波双方向中継器、Ｕ２は対向する基地局２に設置されたもう一方のミリ波双方向中継器を示している。
【００２８】
上記の第２実施形態では、図２に示すように対向して設置されたミリ波双方向中継器Ｕ１、Ｕ２により、ＦＷＡ通信装置の中間周波信号（１７５０ＭＨｚ〜２０５０ＭＨｚ）がミリ波で中継される。
【００２９】
以下、上記第２の実施形態について詳細に説明する。  
図３は上記基地局１のミリ波双方向中継器Ｕ１の構成を示し、（ａ）部は送信部のブロック図、（ｂ）部は受信部のブロック図である。  
図３の（ａ）部の送信部において、ミリ波双方向中継器Ｕ１の入力信号ＩＦ１は、入力端子Ｐ１ａから可変減衰部ＡＴＴ１ａ、増幅部ＡＭＰ１、フィルタ（バンドパスフィルタ）ＢＰＦ１を経て適正レベル、所定帯域に制限されて周波数変換部ＭＩＸ１ａに入力される。この周波数変換部ＭＩＸ１ａには、局部発振器ＬＯＳＣの局部発振出力ＬＦ１（周波数１３９０ＭＨｚ）が分配部Ｓ１及びフィルタＢＰＦ２を介して加えられ、上記入力信号ＩＦ１が（ＩＦ１−１３９０ＭＨｚ）にダウンコンバートされる。この信号はフィルタＢＰＦ３で周波数、３３０ＭＨｚ〜６６０ＭＨｚの中間周波信号ＩＦ２’として抽出され、増幅部ＡＭＰ２及びフィルタＢＰＦ４を介して混合部Ｓ２へ入力される。
【００３０】
また、上記増幅部ＡＭＰ２から出力される中間周波信号ＩＦ２’は、増幅部ＡＭＰ６で増幅された後、検波器ＤＥＴ１で検波されて直流信号に変換される。この検波器ＤＥＴ１で検波された信号は、増幅部ＡＭＰ７により増幅され、可変減衰部ＡＴＴ１ａにＡＧＣ制御信号としてフィードバックされる。このＡＧＣ制御信号により、増幅部ＡＭＰ２の出力信号が一定レベルとなるように可変減衰部ＡＴＴ１ａの減衰量が制御される。
【００３１】
一方、上記局部発振器ＬＯＳＣの出力は分周器ＤＶ１により２分周され、中心周波数６９５ＭＨｚのフィルタＢＰＦ５で６９５ＭＨｚの無変調キャリア信号ＬＦ２として抽出され、上記の中間周波信号ＩＦ２’と混合部Ｓ２で混合されて中間周波信号ＩＦ２となる。この中間周波信号ＩＦ２はミリ波送信ユニットＴＸ１に入力され、ミリ波送信ユニットＴＸ１により６０ＧＨｚにアップコンバートされてミリ波送信アンテナＡＮＴ１ａから対向する基地局２のミリ波双方向中継器Ｕ２のミリ波受信アンテナＡＮＴ２ｂに向けて送信される。
【００３２】
図４は上記基地局２のミリ波双方向中継器Ｕ２の構成を示し、（ａ）部は送信部のブロック図、（ｂ）部は受信部のブロック図である。  
図４の（ｂ）部に示すミリ波双方向中継器Ｕ２の受信部は、ミリ波受信アンテナＡＮＴ２ｂで受信された上記基地局１からの６０ＧＨｚのミリ波信号をミリ波受信ユニットＲＸ２により中間周波数信号ＩＦ３にダウンコンバートする。ここで、ミリ波双方向中継器Ｕ１のミリ波送信ユニットＴＸ１は、前記特許文献１で開示される技術手段により変調信号と共に自己ヘテロダインのための無変調キャリアを同時に送信する。これを受信するミリ波受信ユニットＲＸ２は、上記無変調キャリアを用いて６０ＧＨｚのミリ波信号を自己ヘテロダインにより元の送信中間周波信号ＩＦ２と全く同一の周波数の中間周波信号ＩＦ３にダウンコンバートする。
【００３３】
上記中間周波数信号ＩＦ３は、可変減衰部ＡＴＴ２ｂ、増幅部ＡＭＰ１２により所定のレベルとした後、フィルタＢＰＦ１６により３３０〜６６０ＭＨｚの中間周波数信号ＩＦ３’が抽出され、周波数変換部ＭＩＸ２ｂに加えられる。また、上記中間周波数信号ＩＦ３に含まれている、６９５ＭＨｚの無変調キャリアＬＦ２’はフィルタＢＰＦ１４で抽出された後、２逓倍部ＭＵ１で２逓倍され、フィルタＢＰＦ１５で１３９０ＭＨｚ成分が抽出されて局部発振信号ＬＦ１’として再生される。
【００３４】
上記局部発振信号ＬＦ１’は、分配部Ｓ３から増幅部ＡＭＰ１３、フィルタＢＰＦ１７を介して周波数変換部ＭＩＸ２ｂへ加えられる。この結果、周波数変換部ＭＩＸ１２ｂの出力フィルタＢＰＦ１８には、基地局１のミリ波双方向中継器Ｕ１の入力信号ＩＦ１と全く同一の周波数の中間周波数信号ＩＦ４、１７５０〜２０５０ＭＨｚが得られ、増幅部ＡＭＰ１４で増幅された後、出力端子Ｐ２ｂから出力される。
【００３５】
また、上記増幅部ＡＭＰ１４から出力される中間周波信号ＩＦ４は、検波器ＤＥＴ４で検波されて直流信号に変換され、増幅部ＡＭＰ１７で増幅された後、可変減衰部ＡＴＴ２ｂにＡＧＣ制御信号としてフィードバックされる。このＡＧＣ制御信号により、増幅部ＡＭＰ１４の出力信号が一定レベルとなるように可変減衰部ＡＴＴ２ｂの減衰量が制御される。
【００３６】
上記したように、ミリ波双方向中継器Ｕ２の受信の周波数変換に使用される局部発振信号は、ミリ波双方向中継器Ｕ１の局部発振信号ＬＦ１の１３９０ＭＨｚを基準に生成されたＬＦ１’が用いられる。また、この局部発振信号ＬＦ１’は、分配器Ｓ３でミリ波双方向中継器Ｕ２の送信部（ａ）に分配されて周波数変換に使用される。
【００３７】
図４の（ａ）は、基地局２に設置されるミリ波双方向中継器Ｕ２の送信部のブロック図を示している。
【００３８】
上記図４の（ａ）部（送信部）も図３の（ａ）部（基地局１に設置されるミリ波双方向中継器Ｕ１の送信部）と基本的な構成は同じであり、基地局２のミリ波双方向中継器Ｕ２の入力端子Ｐ２ａにおける入力信号ＩＦ５（１７５０〜２０５０ＭＨｚ）は可変減衰部ＡＴＴ２ａ、増幅部ＡＭＰ９、フィルタＢＰＦ１０を介して周波数変換部ＭＩＸ２ａに入力され、３３０ＭＨｚ〜６６０ＭＨｚの中間周波信号ＩＦ６にダウンコンバートされる。
【００３９】
この際、周波数変換部ＭＩＸ２ａにおいて周波数変換に用いる１３９０ＭＨｚの局部発振信号はミリ波双方向中継器Ｕ１の場合と異なり、上記したように基地局１のミリ波双方向中継装置Ｕ１から変調信号と共に送信された６９５ＭＨｚの無変調キャリアを２逓倍部ＭＵ１で２逓倍し、フィルタＢＰＦ１５で再生した局部発振信号ＬＦ１’（１３９０ＭＨｚ）が用いられる。この局部発振信号ＬＦ１’は、分配器Ｓ３より増幅部ＡＭＰ１０及びフィルタＢＰＦ１１を介して周波数変換部ＭＩＸ２ａに入力される。
【００４０】
上記周波数変換部ＭＩＸ２ａにて局部発振信号ＬＦ１’により周波数変換された信号は、フィルタＢＰＦ１２、ＡＭＰ１１を介してフィルタＢＰＦ１３に入力され、周波数３３０〜６６０ＭＨｚの中間周波信号ＩＦ６が抽出され、ミリ波送信ユニットＴＸ２の入力信号となる。このミリ波送信ユニットＴＸ２は、上記入力された中間周波信号ＩＦ６を６３ＧＨｚのミリ波信号にアップコンバートしてミリ波送信アンテナＡＮＴ２ａから基地局１のミリ波受信アンテナＡＮＴ１ｂへ送信する。
【００４１】
また、上記増幅部ＡＭＰ１１から出力される中間周波信号ＩＦ６は、増幅部ＡＭＰ１６で増幅された後、検波器ＤＥＴ３で検波されて直流信号に変換される。この検波器ＤＥＴ３で検波された信号は、増幅部ＡＭＰ１５により増幅され、可変減衰部ＡＴＴ２ａにＡＧＣ制御信号としてフィードバックされる。このＡＧＣ制御信号により、増幅部ＡＭＰ１１の出力信号が一定レベルとなるように可変減衰部ＡＴＴ２ａの減衰量が制御される。
【００４２】
図３の（ｂ）部は、ミリ波双方向中継器Ｕ２の送信部（ａ）のミリ波送信アンテナＡＮＴ２ａから送信されたミリ波信号を受信するミリ波双方向中継器Ｕ１の受信部のブロック図を示している。  
上記ミリ波送信アンテナＡＮＴ２ａから送信された送信周波数６３ＨＧｚのミリ波信号は、図３における（ｂ）部のミリ波双方向中継器Ｕ１のミリ波受信アンテナＡＮＴ１ｂで受信され、ミリ波受信ユニットＲＸ１において周波数３３０ＭＨｚ〜６６０ＭＨｚの中間周波信号ＩＦ７にダウンコンバートされる。ここで、ミリ波双方向中継器Ｕ２のミリ波送信ユニットＴＸ２は、前記特許文献１で開示される技術手段により変調信号と共に自己ヘテロダインのための無変調キャリアを同時に送信する。これを受信するミリ波受信ユニットＲＸ１は、上記の同時に送られた無変調キャリアを用いて自己ヘテロダイン方式により受信信号を元の送信中間周波信号ＩＦ６と全く同一の周波数の中間周波信号ＩＦ７にダウンコンバートする。この中間周波信号ＩＦ７は、可変減衰部ＡＴＴ１ｂ、増幅部ＡＭＰ３，フィルタＢＰＦ６を介して周波数変換部ＭＩＸ１ｂに入力されてアップコンバートされる。この周波数変換において用いられる局部発振信号は、図３の示す送信部（ａ）の局部発振器ＬＯＳＣの局部発振信号ＬＦ１（１３９０ＭＨｚ）を分配部Ｓ１で分配したものが用いられる。上記分配部Ｓ１で分配された局部発振信号ＬＦ１は、増幅部ＡＭＰ４及びフィルタＢＰＦ７を介して周波数変換部ＭＩＸ１ｂに入力される。上記周波数変換部ＭＩＸ１ｂの出力は、フィルタＢＰＦ８により１７５０〜２０５０ＭＨｚの周波数成分が抽出され、増幅部ＡＭＰ５を介して出力端子Ｐ１ｂに中間周波信号ＩＦ８として出力される。
【００４３】
以上のように、ミリ波双方向中継器ＵＩの送信及び受信の周波数変換に使用される局部発振信号は、ミリ波双方向中継器ＵＩに搭載された局部発振信号器ＬＯＳＣの局部発振信号ＬＦ１を共通に用い、対向して送受を行うミリ波双方向中継器Ｕ２の送信及び受信の周波数変換に使用される局部発振信号は上記ミリ波双方向中継器Ｕ１から変調信号と共に送られた局部発振信号器ＬＯＳＣの局部発振信号ＬＦ１を基準信号として生成された無変調キャリアを受信して１３９０ＭＨｚに再生したものを用いるので、中継前、中継後において入出力信号に周波数偏差や周波数ドリフトが生じることなく、安定した無線通信システムを実現することができる。
【００４４】
なお、本発明は、上記実施形態そのままに限定されるものではなく、実施段階ではその要旨を逸脱しない範囲で構成要素を変形して具体化できるものである。
【図面の簡単な説明】
【００４５】
【図１】本発明の第１実施形態に係る無線通信システムの構成を示すブロック図である。
【図２】本発明の第２の実施形態に係る基地局１、２、３間を無線中継する場合のシステム構成例を示す図である。
【図３】同実施形態における基地局１のミリ波双方向中継器Ｕ１の構成を示すブロック図である。
【図４】同実施形態における基地局２のミリ波双方向中継器Ｕ２の構成を示すブロック図である。
【符号の説明】
【００４６】
１…入力側機器、１０…送信機、１１…局部発振器、１２…周波数変換器、１３…信号混合器、１４…送信ユニット、１５…局部発振器、１６…周波数変換器、１７…送信機のアンテナ、２０…受信機、２１…受信機のアンテナ、２２…受信ユニット、２３…二乗検波器、２４…局部発振信号再生回路、２５…周波数変換器、３１…出力先の機器、ＯＤＵ１…基地局１に設置されているＦＷＡ通信装置の屋外装置、ＯＤＵ２…基地局３に設置されているＦＷＡ通信装置の屋外装置、ＩＤＵ１…基地局２に設置されているＦＷＡ通信装置の屋内装置、Ｕ１…基地局１に設置されたミリ波双方向中継器、Ｐ１ａ、Ｐ２ａ…入力端子、Ｐ１ｂ、Ｐ２ｂ…出力端子、ＡＴＴ１ａ、ＡＴＴ１ｂ、ＡＴＴ２ａ、ＡＴＴ２ｂ…可変減衰部、ＡＭＰ１〜ＡＭＰ７、ＡＭＰ９〜ＡＭＰ１７…増幅部、ＢＰＦ１〜ＢＰＦ８、ＢＰＦ１０〜ＢＰＦ１８…フィルタ、ＴＸ１、ＴＸ２…ミリ波送信ユニット、ＤＶ１…分周器、Ｓ１…分配部、Ｓ２…混合部、ＬＯＳＣ…局部発振器、ＲＸ１、ＲＸ２…ミリ波受信ユニット、ＭＵ１…２逓倍部、ＡＮＴ１ａ、ＡＮＴ２ａ…ミリ波送信アンテナ、ＡＮＴ１ｂ、ＡＮＴ２ｂ…ミリ波受信アンテナ。
【図１】
2005348332.tif 000003
【図２】
2005348332.tif 000004
【図３】
2005348332.tif 000005
【図４】
2005348332.tif 000006